(57)【特許請求の範囲】
【請求項１】
空気の抽気装置を備えた便器（１）に設けられるためのシートであって、
該シートは、便器（１）上に密閉して当てがわれ、前部空気吸入口（６）と、空気の抽気装置（８、９、１０、１４、１５）に接続される後部空気排出口（７）とを備えてなる便座（４）と、閉鎖位置の場合、前部空気吸入口（６）を密閉するカバー（１１）とから構成されることを特徴とする空気循環を備えたトイレ用シート。
【請求項２】
前記便座は、便器（１）に対応した形状を有し、便器（１）上に密閉して置かれる２つの側面部（５）が下面に設けられたリング状の便座（４）から構成されるものとし、
カバー（１１）は、便座（４）上に配置されるとともに、便座（４）の２つの側面部（５）間に存する前側空間（６）を被覆する下側延出部（１２）を含むことを特徴とする請求項１に記載の空気循環を備えたトイレ用シート。
【請求項３】
カバー（１１）には、前記カバーが開放位置にある場合、洗浄が不用意に起動しないように配された把手（１３）から構成されていることを特徴とする請求項１または２に記載の空気循環を備えたトイレ用シート。
【請求項４】
前部空気吸入口（６）から取り入れられる空気の取り入れ量は、後部排出口（７）を介して抽気される空気の量より少ないことを特徴とする請求項１〜３のうちのいずれか一に記載の空気循環を備えたトイレ用シート。
【発明の詳細な説明】
【技術分野】
【０００１】
本発明は、便器のレベルで直接臭気を吸入する、空気循環を備えたトイレ用シートの技術分野に属するものである。
【背景技術】
【０００２】
一般に、トイレなどの大多数の衛生器具の場合、換気調節機械装置、すなわちＣＭＶ（Ｃｏｎｔｒｏｌｌｅｄ  Ｍｅｃｈａｎｉｃａｌ  Ｖｅｎｔｉｌａｔｉｏｎ  ｓｙｓｔｅｍ）を、トイレ空間のある高さに配しており、また場合によっては天井に配置することもあり、これによって、便器を使用した場合発生する臭気が、否応なく使用者の鼻をつくような事態が発生するなどの問題があった。
【０００３】
この改善策として、放たれる臭気を緩和し、抑制する目的で、過去既に、空気循環を備えたトイレのモデルが多数、提案されている。便器レベルでの空気の抽気（排気、脱気）は、家屋に備えられたＣＭＶによって、あるいはこの目的のために特に使用される電動機によって行われている。
【発明の開示】
【発明が解決しようとする課題】
【０００４】
ところで、前記従来の空気循環を備えたトイレ用シートは、必ずしも完全に満足のいくものとは限らず、さらに、本願発明者らが知る限り、工業的に生産されてはいないのが現状である。さらに、ＣＭＶの場合、一般に、空気の抽気は、持続的に行われており、部屋や家または公共アパートの一般的な換気装置に支障をもたらす惧れがあるといった問題があり、ここに本発明が解決しようとする課題がある。
【課題を解決するための手段】
【０００５】
本発明は、上記の如き実情に鑑みこれらの課題を解決することを目的として創作されたものであって、請求項１の発明は、空気の抽気装置を備えた便器（１）に設けられるためのシートであって、該シートは、便器（１）上に密閉して当てがわれ、前部空気吸入口（６）と、空気の抽気装置（８、９、１０、１４、１５）に接続される後部空気排出口（７）とを備えてなる便座（４）と、閉鎖位置の場合、前部空気吸入口（６）を密閉するカバー（１１）とから構成されることを特徴とする空気循環を備えたトイレ用シートである。
請求項２の発明は、前記便座は、便器（１）に対応した形状を有し、便器（１）上に密閉して置かれる２つの側面部（５）が下面に設けられたリング状の便座（４）から構成されるものとし、カバー（１１）は、便座（４）上に配置されるとともに、便座（４）の２つの側面部（５）間に存する前側空間（６）を被覆する下側延出部（１２）を含むことを特徴とする請求項１に記載の空気循環を備えたトイレ用シートである。
請求項３の発明は、カバー（１１）には、前記カバーが開放位置にある場合、洗浄が不用意に起動しないように配された把手（１３）から構成されていることを特徴とする請求項１または２に記載の空気循環を備えたトイレ用シートである。
請求項４の発明は、前部空気吸入口（６）から取り入れられる空気の取り入れ量は、後部排出口（７）を介して抽気される空気の量より少ないことを特徴とする請求項１〜３のうちのいずれか一に記載の空気循環を備えたトイレ用シートである。
【発明の効果】
【０００６】
請求項１の発明とすることにより、ＣＭＶによってトイレの悪臭を自動的かつ持続的に外部に排出することができる。
請求項２の発明とすることにより、空気取り入れ口を密閉することができ、ＣＭＶによる空気の抽気を有効に行うことができる。。
請求項３の発明とすることにより、把手が設けられていることにより、洗浄が不用意に起動するのを防ぎ、さらに、衛生的にカバーを取り扱うことができる。
請求項４の発明とすることにより、カバーを開けた状態であっても低圧（負圧）で便器を保持することが可能となり、カバーを閉じた状態においては、いっそう低圧で保持することができる。
【発明を実施するための最良の形態】
【０００７】
次に、本発明の実施の形態について、図面に基づいて説明する。図１〜図４において、で図示されるトイレは、水洗浄タンク２を載置する便器１からなり、該水洗浄タンク２は、その上部に起動ボタン３を備えている。本発明によれば、前記トイレには、シートが備えられており、該シートは、便器１に対応した形状で、下面に、便器の上端に密閉して置かれる２つの側面部５が設けられるリング状部（便座）４と、前部空気吸入口６および後部空気排出口７とから構成されている。前記リング状部４は、標準的に、ナット１６に２本のネジ棒を螺装して便器に固定されている。
空気排出口７は、サイホン作用を回避すべく空気排出口７と連続して、リング状部４と洗浄タンク２との間に配置された空気ボックス８によって、かつ９、１０などのダクトによって、家屋に備えられる機械換気（ＣＭＶ）に接続されている。垂直ダクト１０は、タンクに供給するためのタップと反対側に位置しており、該ダクト１０は一般的な通気孔装置１５に置かれた分岐継手１４に接続されている。なお、該二次分岐継手１４の直径は、家またはアパート全体に被害を及ぼすこととなる装置の逆流を回避するために、当該空間のメイン換気装置より、かなり小径となっている。
【０００８】
家屋にＣＭＶがない場合、このＣＭＶの目的のために排出口に接続される独自の電動機を特に設けることができる。さらに、空気吸入口６は、便器１内を低圧（負圧）とするために、後部に位置する空気排出口７の空気量より少ない空気量が確保されるように設定されている。
また、シートは、特に後部が直線状になっており、これにより後部の開口量を少なくできるように設定されており、これにより、サイホン作用を受けやすい後部排出口７側近くでの空気吸い込みを制限する役目をするように設定されている。
【０００９】
本発明によるシートは、カバー１１によって完成されるものであるが、該カバー１１は、リング状部４上に配置され、図３に示すように、カバー１１をリング状部４上に下ろした場合に空気吸入口６を密閉するための下側延出部１２が、該カバー１１前部に設けられている。また、図４に示されるように、カバーを開放した場合、該カバー１１は、その上面に、洗浄の起動ボタン３に触れないように配慮された把手１３が設けられている。
従って、トイレの使用中に、ＣＭＶによる低圧の影響下で、前部空気吸入口６と後部空気排出口７との間で、空気の循環が自然に確立されることとなる。これによって、従来のように、悪臭をトイレ空間を横切った、ある高さで解消する必要性がなくなり、ＣＭＶによって、便器レベルで、悪臭を自動的かつ持続的に、外部に排出することとなる。
【００１０】
さらに、使用後は、まず、洗浄の起動ボタン３を押せるように、カバー１１をリング状部４上に下ろすこととなるが、これにより、空気吸入口６がカバー１１の下側延出部１２によって密閉されることとなり、実際にトイレが密閉される。この手順によって、洗浄作動中に、大量の水を急激に流すことによって便器から放たれる悪臭のあるガスが、家屋内に放出されることが回避されることとなる。
なお、一旦カバーが下ろされると、空気吸入口６は、カバーの下側延出部１２によって封止されることとなり、その結果、トイレは、密閉されたも同然となる。
ここで、更に注目すべきことは、トイレが使用されておらず、カバー１１が適切に閉じられた状態では、便器１は、空気吸入の不足により非常にわずかな空気のみを吸引することとなり、その結果、ＣＭＶが、非常に有効に、空間からの空気吸入を高めることが可能となるとともに、家または公共アパートの換気システムに支障を来すようなことが回避できることである。
【００１１】
叙述の如く構成された本形態において、空気の抽気装置を備えた空間の大多数の便器上に設けられるように意図されるシートであり、前部空気吸入口と、空気の抽気装置に接続される後部空気排出口とを備えるとともに、便器上に密閉してあてがわれてなるシートと、閉鎖位置の場合、前部空気吸入口を密閉するカバーとからなることを特徴とするものである。
【００１２】
本発明の特有の実施形態では、シートは、便器１に対応した形状のリング状部４によって形成され、その下面には、便器１上に密閉して置かれる２つの側面部が設けられて構成される一方、カバー１１は、リング状部４上に配されるとともに、シートの２つの側面部間に存する前部空間を被覆する下側段部から構成されている。
従って、トイレを使用する場合、カバー１１を上げると、吸入口と排出口の間を便器１を通って空気の循環が開始し、持続的に悪臭の排出が可能となる。使用後、また予めカバー１１を閉めた状態では、便器１は、事実上、密閉されることとなり、密閉された状態で便器内にかなりの量の水を流すことにより、洗浄の起動中に、トイレ空間へ悪臭のガスが放出されることが回避できる。便器のレベルで空気取り入れ口を密閉すると、ＣＭＶがトイレ空間の空気を吸引することが妨げられることなく、有効に行うことができる。なお、前記カバー１１には、該カバー１１が開放位置にある場合、洗浄が不用意に起動しないように配された把手１３が設けられていることが好ましい。
従って、洗浄の起動中、悪臭のあるガスの放出は回避される。更に、把手１３の存在により、より衛生的にカバーを取り扱うことができる。
また、前部空気吸入口６を介しての空気の吸入量は、後部排出口７を介して抽気される空気量より少ないことが好ましく、これにより、使用している間、便器１を低圧で保持することが可能となり、カバー１１を閉じた後には一層低圧で保持することができる。
【００１３】
尚、本発明は前記実施の形態に限定されないことは勿論であって、図５〜８に示す第二の実施の形態のようにすることもできる。本実施の形態は、タンクが一体化されたトイレシステム、即ち、水洗浄タンク２が外から見えないように壁に組込まれたトイレシステムに本発明を適用したものであり、洗浄起動ボタン３だけが、この目的のために壁に設けられた開口を介して見えるように構成されている。この場合、把手１３は、カバーから延出して配されており、一般に、衛生状態の向上の役割を果たすとともに、起動ボタン３に不用意に触れたりすることを防ぐ役目をもしている。
もちろん、本発明は、これらの実施の形態の実施例に限定されず、本発明の範囲を逸脱することなく、多くの変更を本発明に適用することができる。
【００１４】
さらに本発明は、特に、大多数の既存のトイレに容易に採用することができる。粘着ビーズの形態で、２つの側面部５を単に加えることにより、かつ後部に、既存のＣＭＶまたは新たに取り付けられた換気装置に空気取り入れ口を接続することにより、既存トイレを再活用することさえ可能となる。また、言うまでもなく、下側延出部１２および把手１３を付け加えることで、カバーを変更することも適切である。
【００１５】
本発明に特に適応したトイレの可能性も想定することができる。即ち、最終的には、装置全体が外側から全く見えないように構成することである。このため、空気の取り入れ口を、陶器製の便器にうまく一体化させることができるように構成することであり、たとえば、空気の取り入れ口をタンクの後側になるように通して、あるいは便器と一体化できるのであればタンクの側方に通して、垂直の後部ダクト１０に連通することが考えられ、この場合、該ダクト１０自体をトイレ空間のライニングの後ろに隠れるようにすれば、外側から装置全体を全く見えないようにすることができる。
【図面の簡単な説明】
【００１６】
【図１】本発明によるシートを備えた便器の斜視図である。
【図２】シートのカバーを取り除いた状態を示す便器の平面図である。
【図３】カバーを閉じた状態を示す便器の側面図である。
【図４】カバーを開いた状態を示す便器の側面図である。
【図５】第二の実施の形態におけるシートを備えた便器の斜視図である。
【図６】第二の実施の形態におけるシートのカバーを一部切り欠いた状態を示す便器の平面図である。
【図７】第二の実施の形態におけるカバーを閉じた状態を示す便器の側面図である。
【図８】第二の実施の形態におけるカバーを開いた状態を示す便器の側面図である。
【符号の説明】
【００１７】
１      便器
４      リング状部
６      前部空気吸入口
７      空気排出口
８      空気ボックス
９      ダクト
１０      ダクト
１１      カバー
１３      把手
１４      分岐継手
１５      通気孔装置
【図１】
0004800982.tif 000002
【図２】
0004800982.tif 000003
【図３】
0004800982.tif 000004
【図４】
0004800982.tif 000005
【図５】
0004800982.tif 000006
【図６】
0004800982.tif 000007
【図７】
0004800982.tif 000008
【図８】
0004800982.tif 000009